(57)【要約】【課題】内部の湿度上昇を抑制することができ、且つ、ユーザの側頭部等に対してずれるのを抑制することができるイヤーパッドを提供する。【解決手段】イヤーパッド８ａは、中央部に凹部１２を有する環状のパッド本体部１４と、パッド本体部１４の表面から突出するように形成され、パッド本体部１４の表面よりも摩擦係数の大きい第１の摩擦部１６とを備える。第１の摩擦部１６は、パッド本体部１４を平面視した場合に、パッド本体部１４の凹部１２よりも上側の第１の領域２６において横方向に沿って延びている。【選択図】図２
2019140616.tif 000002
【特許請求の範囲】
【請求項１】
中央部に凹部を有する環状のパッド本体部と、
前記パッド本体部の表面から突出するように形成され、前記パッド本体部の前記表面よりも摩擦係数の大きい第１の摩擦部と、を備え、
前記第１の摩擦部は、前記パッド本体部を平面視した場合に、前記パッド本体部の前記凹部よりも上側の第１の領域において横方向に沿って延びている
イヤーパッド。
【請求項２】
前記第１の摩擦部は、前記横方向に沿って連続的に線状に延びている
請求項１に記載のイヤーパッド。
【請求項３】
前記第１の摩擦部は、前記凹部と反対側に突状となるように延びている
請求項２に記載のイヤーパッド。
【請求項４】
前記イヤーパッドは、さらに、前記パッド本体部の前記表面から突出するように形成され、前記パッド本体部の前記表面よりも摩擦係数の大きい複数の第２の摩擦部を備え、
前記複数の第２の摩擦部は、前記パッド本体部を平面視した場合に、前記パッド本体部の前記第１の領域よりも下側の第２の領域に配置され、前記凹部を中心に放射状に延びている
請求項１〜３のいずれか１項に記載のイヤーパッド。
【請求項５】
前記パッド本体部は、
環状のクッション部材と、
前記クッション部材の表面を覆い、通気性を有するカバー部材と、を有し、
前記第１の摩擦部及び前記複数の第２の摩擦部の各々は、前記カバー部材の表面から突出するように形成されている
請求項４に記載のイヤーパッド。
【請求項６】
一対のハウジングと、
前記一対のハウジングを連結するヘッドバンドと、
前記一対のハウジングにそれぞれ配置された、請求項１〜５のいずれか１項に記載の一対のイヤーパッドと、を備える
ヘッドホン。
【発明の詳細な説明】
【技術分野】
【０００１】
本開示は、イヤーパッド及びこれを備えたヘッドホンに関する。
【背景技術】
【０００２】
特許文献１は、オーバーヘッド型のヘッドホンを開示する。この種のヘッドホンは、一対のハウジングと、一対のハウジングを連結するヘッドバンドと、一対のハウジングにそれぞれ取り付けられた一対のイヤーパッドとを備えている。ヘッドバンドは、ユーザの頭部を両側から挟むように装着した際の弾性復元力により、一対のイヤーパッドをそれぞれユーザの左右の側頭部（又は左右の耳介）に押し当てる。
【先行技術文献】
【特許文献】
【０００３】
【特許文献１】特開２００１−１９７５８１号公報
【発明の概要】
【発明が解決しようとする課題】
【０００４】
本開示は、内部の湿度上昇を抑制することができ、且つ、ユーザの側頭部等に対してずれるのを抑制することができるイヤーパッド及びこれを備えたヘッドホンを提供する。
【課題を解決するための手段】
【０００５】
本開示におけるイヤーパッドは、中央部に凹部を有する環状のパッド本体部と、パッド本体部の表面から突出するように形成され、パッド本体部の表面よりも摩擦係数の大きい第１の摩擦部と、を備え、第１の摩擦部は、パッド本体部を平面視した場合に、パッド本体部の凹部よりも上側の第１の領域において横方向に沿って延びている。
【発明の効果】
【０００６】
本開示におけるイヤーパッドによれば、内部の湿度上昇を抑制することができ、且つ、ユーザの側頭部等に対してずれるのを抑制することができる。
【図面の簡単な説明】
【０００７】
【図１】実施の形態１に係るヘッドホンを示す斜視図である。
【図２】実施の形態１に係るイヤーパッドを示す斜視図である。
【図３】図２のＩＩＩ−ＩＩＩ線による、実施の形態１に係るイヤーパッドの断面図である。
【図４】図２のＩＶ−ＩＶ線による、実施の形態１に係るイヤーパッドの要部拡大断面図である。
【図５】図２のＶ−Ｖ線による、実施の形態１に係るイヤーパッドの要部拡大断面図である。
【図６】実施の形態２に係るイヤーパッドを示す斜視図である。
【発明を実施するための形態】
【０００８】
（本開示の基礎となった知見）
本発明者は、「背景技術」の欄において記載した技術に関し、以下の問題が生じることを見出した。
【０００９】
特許文献１のヘッドホンをユーザの頭部に装着した際に、ユーザの頭部から発生した汗がイヤーパッドへ流れ落ちて、イヤーパッドの内部に侵入することがある。また、イヤーパッドの内部において、耳介又は側頭部から汗が発生することがある。これらの汗により、イヤーパッドの内部における湿度が上昇し、ユーザが蒸れ等の不快感を覚えるという問題が生じる。
【００１０】
さらに、特許文献１のヘッドホンをユーザの頭部に装着した際に、イヤーパッドがユーザの側頭部等に対してずれるのを抑制するために、ヘッドバンドによりユーザの頭部を挟む力を比較的大きく設定する必要がある。そのため、長時間のヘッドホンの装着により、ユーザが痛みを感じるという問題が生じる。
【００１１】
本開示は、このような知見に基づいてなされたものであり、本発明者が鋭意検討した結果、内部の湿度上昇を抑制することができ、且つ、ユーザの側頭部等に対してずれるのを抑制することができるイヤーパッド及びヘッドホンについての着想を得た。
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者は、当業者が本開示を十分に理解するために添付図面及び以下の説明を提供するのであって、これらによって特許請求の範囲に記載の主題を限定することを意図するものではない。
【００１４】
（実施の形態１）
以下、図１〜図５を参照しながら、実施の形態１について説明する。
【００１５】
［１−１．ヘッドホンの構成］
まず、図１を参照しながら、実施の形態１に係るヘッドホン２の構成について説明する。図１は、実施の形態１に係るヘッドホン２を示す斜視図である。
【００１６】
図１に示すように、実施の形態１に係るヘッドホン２は、例えばオーバーヘッド型のヘッドホンである。ヘッドホン２は、ヘッドバンド４と、一対のハウジング６ａ及び６ｂと、一対のイヤーパッド８ａ及び８ｂとを備えている。
【００１７】
ヘッドバンド４は、ユーザの頭部を両側から挟むように装着した際の弾性復元力により、イヤーパッド８ａをユーザの右側頭部又は右耳介（以下、「右側頭部等」と言う）に押し当て、且つ、イヤーパッド８ｂをユーザの左側頭部又は左耳介に押し当てるためのものである。ヘッドバンド４は、略円弧状に湾曲しており、弾性変形可能に構成されている。ヘッドバンド４は、湾曲方向に沿って伸縮自在に構成された一対の伸縮機構１０ａ及び１０ｂを有している。一対の伸縮機構１０ａ及び１０ｂの各々を伸縮させることにより、ユーザの頭部の大きさ等に合わせてヘッドバンド４の長さを調節することができる。
【００１８】
一対のハウジング６ａ及び６ｂはそれぞれ、ヘッドバンド４の両端部に接続されている。すなわち、一対のハウジング６ａ及び６ｂは、ヘッドバンド４により連結されている。ハウジング６ａは右耳用のハウジングであり、ハウジング６ｂは左耳用のハウジングである。ハウジング６ａの内部には右耳用のスピーカ（図示せず）が配置され、ハウジング６ｂの内部には左耳用のスピーカ（図示せず）が配置されている。
【００１９】
一対のイヤーパッド８ａ及び８ｂはそれぞれ、一対のハウジング６ａ及び６ｂに着脱自在に取り付けられている。イヤーパッド８ａは右耳用の密閉型イヤーパッドであり、イヤーパッド８ｂは左耳用の密閉型イヤーパッドである。一対のイヤーパッド８ａ及び８ｂはそれぞれ、ユーザの右耳介及び左耳介を覆うようにして、ユーザの右側頭部及び左側頭部に密着して押し当てられる。イヤーパッド８ａは、右耳用のスピーカから出力された音がハウジング６ａの外部に漏れるのを抑制する。また、イヤーパッド８ｂは、左耳用のスピーカから出力された音がハウジング６ｂの外部に漏れるのを抑制する。一対のイヤーパッド８ａ及び８ｂの各々の構成及び機能は同一であるため、以下、イヤーパッド８ａの構成及び機能についてのみ説明する。
【００２０】
［１−２．イヤーパッドの構成］
次に、図２〜図４を参照しながら、実施の形態１に係るイヤーパッド８ａの構成について説明する。図２は、実施の形態１に係るイヤーパッド８ａを示す斜視図である。図３は、図２のＩＩＩ−ＩＩＩ線による、実施の形態１に係るイヤーパッド８ａの断面図である。図４は、図２のＩＶ−ＩＶ線による、実施の形態１に係るイヤーパッド８ａの要部拡大断面図である。図５は、図２のＶ−Ｖ線による、実施の形態１に係るイヤーパッド８ａの要部拡大断面図である。
【００２１】
図２及び図３に示すように、イヤーパッド８ａは、環状（ドーナツ状）に形成されており、弾性変形可能に構成されている。イヤーパッド８ａは、パッド本体部１４と、第１の摩擦部１６と、複数の第２の摩擦部１８と、布部材２４とを備えている。
【００２２】
図２及び図３に示すように、パッド本体部１４は、クッション部材２０と、カバー部材２２とを有している。パッド本体部１４の中央部には、略楕円形状の凹部１２が形成されている。なお、凹部１２は、パッド本体部１４の中央部を、パッド本体部１４の厚み方向（図３において上下方向）に貫通する孔である。
【００２３】
クッション部材２０は、環状（ドーナツ状）に形成されており、通気性及び弾力性を有する材料、例えば多孔性のウレタン又はスポンジ等で形成されている。
【００２４】
カバー部材２２は、クッション部材２０の表面全体を覆うように配置されている。すなわち、カバー部材２２は、パッド本体部１４の表面を構成する。カバー部材２２は、通気性、吸湿性及び放湿性を有する材料、例えばポリエステル又はポリウレタン等で形成されている。
【００２５】
図２に示すように、第１の摩擦部１６は、パッド本体部１４を平面視した場合（すなわち、パッド本体部１４の凹部１２を真正面から見た場合）に、パッド本体部１４の凹部１２よりも上側の第１の領域２６（図２において一点鎖線の枠線で囲まれた領域）において、横方向に沿って連続的に線状に延びている。すなわち、第１の摩擦部１６は、第１の領域２６において、凹部１２よりも図２における左右の外側にそれぞれはみ出すように延びている。第１の摩擦部１６の長手方向における長さは、凹部１２の横方向における幅よりも長い。この時、第１の摩擦部１６の長手方向における両端部は、パッド本体部１４とハウジング６ａとの境界部又はその近傍まで延びているのが好ましい。なお、本明細書において、凹部１２よりも上側とは、凹部１２よりもヘッドバンド４側を意味する。また、本明細書において、横方向とは、ヘッドバンド４の湾曲方向（長手方向）に対して略垂直な方向を意味する。
【００２６】
図４に示すように、第１の摩擦部１６は、カバー部材２２の表面から突出するように形成されている。第１の摩擦部１６は、カバー部材２２よりも摩擦係数の大きい材料、例えばゴム又はエラストマー等の樹脂で形成されている。第１の摩擦部１６は、例えば、ゴム又はエラストマー等の樹脂をプリント加工によりカバー部材２２の表面に塗布し、その後、上記樹脂を加熱し、さらに硬化させることにより形成される。
【００２７】
図２に示すように、複数の第２の摩擦部１８は、パッド本体部１４を平面視した場合に、パッド本体部１４の第１の領域２６よりも下側の第２の領域２８（図２において一点鎖線の枠線で囲まれた領域）に配置され、凹部１２を中心に放射状に延びている。なお、本明細書において、第１の領域２６よりも下側とは、第１の領域２６に対してヘッドバンド４と反対側を意味する。
【００２８】
図５に示すように、複数の第２の摩擦部１８の各々は、カバー部材２２の表面から突出するように形成されている。複数の第２の摩擦部１８の各々は、カバー部材２２よりも摩擦係数の大きい材料、例えばゴム又はエラストマー等の樹脂で形成されている。複数の第２の摩擦部１８の各々は、例えば、ゴム又はエラストマー等の樹脂をプリント加工によりカバー部材２２の表面に塗布し、その後、上記樹脂を加熱し、さらに硬化させることにより形成される。
【００２９】
布部材２４は、右耳用のスピーカを保護するためのものである。布部材２４は、略楕円形状に形成され、パッド本体部１４の凹部１２を覆うように配置されている。布部材２４の周縁部は、パッド本体部１４のハウジング６ａ側の面において、凹部１２の周縁部に接着されている。イヤーパッド８ａがハウジング６ａに取り付けられた状態では、布部材２４は、右耳用のスピーカを覆うように配置される。布部材２４は、通気性及び通音性を有する材料、例えばナイロン又はポリエステル等の合成樹脂繊維を編み目状に編んだ布地で形成されている。
【００３０】
［１−３．イヤーパッドの機能］
次に、図２を参照しながら、実施の形態１に係るイヤーパッド８ａの機能について説明する。
【００３１】
ヘッドバンド４をユーザの頭部に装着した際に、イヤーパッド８ａは、ユーザの右側頭部等に押し当てられる。この時、第１の摩擦部１６及び複数の第２の摩擦部１８の各々とユーザの右側頭部等との間に生じる摩擦力により、イヤーパッド８ａがユーザの右側頭部等に対してずれるのを抑制することができる。
【００３２】
特に、第１の摩擦部１６は、横方向に延びているので、ユーザの頭髪の延びる方向に対して交差する方向に延びるようになる。これにより、第１の摩擦部１６とユーザの頭髪との間に生じる摩擦力を比較的大きくすることができ、イヤーパッド８ａが径方向にずれるのを抑制することができる。
【００３３】
また、複数の第２の摩擦部１８は凹部１２を中心に放射状に延びているので、複数の第２の摩擦部１８の各々は、イヤーパッド８ａの周方向（回転方向）に対して交差する方向に延びるようになる。これにより、イヤーパッド８ａの周方向に生じる摩擦力を比較的大きくすることができ、イヤーパッド８ａが周方向にずれるのを抑制することができる。
【００３４】
また、ヘッドバンド４をユーザの頭部に装着した際に、ユーザの頭部から発生した汗がイヤーパッド８ａへ流れ落ちる。この時、第１の摩擦部１６は横方向に延びているので、図２において黒塗りの矢印で示すように、流れ落ちた汗は、第１の摩擦部１６で遮断され、第１の摩擦部１６に沿って流れるようになる。これにより、汗がパッド本体部１４の凹部１２（すなわち、パッド本体部１４の内部）に侵入するのを抑制することができ、凹部１２における湿度上昇を抑制することができる。
【００３５】
さらに、ヘッドバンド４をユーザの頭部に装着した際に、パッド本体部１４の凹部１２においてユーザの右耳介等から発生した汗がカバー部材２２に吸収される。この時、複数の第２の摩擦部１８は凹部１２を中心に放射状に延びているので、図２において白抜きの矢印で示すように、カバー部材２２に吸収された汗を、隣接する一対の第２の摩擦部１８の間を伝ってパッド本体部１４の外部へ放射状に放出することができる。また、パッド本体部１４の凹部１２において汗が蒸発することにより発生した水蒸気も同様に、カバー部材２２を通してパッド本体部１４の外部へ放出することができる。
【００３６】
［１−４．効果］
本実施の形態では、イヤーパッド８ａは、中央部に凹部１２を有する環状のパッド本体部１４と、パッド本体部１４の表面から突出するように形成され、パッド本体部１４の表面よりも摩擦係数の大きい第１の摩擦部１６とを備える。第１の摩擦部１６は、パッド本体部１４を平面視した場合に、パッド本体部１４の凹部１２よりも上側の第１の領域２６において横方向に沿って延びている。
【００３７】
これにより、第１の摩擦部１６とユーザの右側頭部等との間に生じる摩擦力により、イヤーパッド８ａがユーザの右側頭部等に対してずれるのを抑制することができる。その結果、イヤーパッド８ａをユーザの右側頭部等に押し当てる力が小さくて済むので、ヘッドホン２を長時間装着した場合であっても、ユーザが痛みを感じるのを低減することができる。また、第１の摩擦部１６は横方向に延びているので、ユーザの頭部から流れ落ちた汗は、第１の摩擦部１６で遮断される。これにより、汗がパッド本体部１４の凹部１２に侵入するのを抑制することができ、凹部１２における湿度上昇を抑制することができる。その結果、ユーザが蒸れ等の不快感を覚えるのを低減することができる。
【００３８】
また、本実施の形態において、第１の摩擦部１６は、横方向に沿って連続的に線状に延びている。
【００３９】
これにより、ユーザの頭部から流れ落ちた汗を、第１の摩擦部１６で確実に遮断することができる。
【００４０】
また、本実施の形態において、イヤーパッド８ａは、さらに、パッド本体部１４の表面から突出するように形成され、パッド本体部１４の表面よりも摩擦係数の大きい複数の第２の摩擦部１８を備える。複数の第２の摩擦部１８は、パッド本体部１４を平面視した場合に、パッド本体部１４の第１の領域２６よりも下側の第２の領域２８に配置され、凹部１２を中心に放射状に延びている。
【００４１】
これにより、イヤーパッド８ａが周方向にずれるのを抑制することができる。
【００４２】
また、本実施の形態において、パッド本体部１４は、環状のクッション部材２０と、クッション部材２０の表面を覆い、通気性を有するカバー部材２２とを有している。第１の摩擦部１６及び複数の第２の摩擦部１８は、カバー部材２２の表面から突出するように形成されている。
【００４３】
これにより、カバー部材２２に吸収された汗を、隣接する一対の第２の摩擦部１８の間を伝ってパッド本体部１４の外部へ放射状に放出することができる。
【００４４】
さらに、本実施の形態では、ヘッドホン２は、一対のハウジング６ａ及び６ｂと、一対のハウジング６ａ及び６ｂを連結するヘッドバンド４と、一対のハウジング６ａ及び６ｂにそれぞれ配置された、上述したいずれかの一対のイヤーパッド８ａ及び８ｂとを備える。
【００４５】
これにより、一対のイヤーパッド８ａ及び８ｂがそれぞれユーザの右側頭部等及び左側頭部等に対してずれるのを抑制することができ、ヘッドホン２の装着時のずれを抑制することができる。また、一対のイヤーパッド８ａ及び８ｂの各内部における湿度上昇を抑制することができる。
【００４６】
（実施の形態２）
［２−１．イヤーパッドの構成］
次に、図６を参照しながら、実施の形態２に係るイヤーパッド８Ａａについて説明する。図６は、実施の形態２に係るイヤーパッド８Ａａを示す斜視図である。なお、本実施の形態では、上記実施の形態１と同一の構成要素には同一の符号を付して、その説明を省略する。
【００４７】
図６に示すように、実施の形態２に係るヘッドホン２Ａでは、イヤーパッド８Ａａの第１の摩擦部１６Ａの形状が上記実施の形態１と異なっている。具体的には、第１の摩擦部１６Ａは、凹部１２と反対側に突状となるように線状に延びている。すなわち、第１の摩擦部１６Ａは、頂部が凹部１２と反対側を向くように逆Ｖ字状に延びている。より具体的には、第１の摩擦部１６Ａの長手方向における中央部は、ヘッドバンド４の湾曲方向においてヘッドバンド４側に最も近い位置に配置され、第１の摩擦部１６Ａの長手方向における両端部は、ヘッドバンド４の湾曲方向においてヘッドバンド４側から最も遠い位置に配置されている。なお、第１の摩擦部１６Ａの形状は、逆Ｖ字状に限定されず、例えば略円弧状等であってもよい。
【００４８】
［２−２．効果］
上述したように、本実施の形態では、第１の摩擦部１６Ａは、凹部１２と反対側に突状となるように延びている。
【００４９】
これにより、図６において黒塗りの矢印で示すように、ユーザの頭部から流れ落ちた汗は、第１の摩擦部１６Ａで遮断され、第１の摩擦部１６Ａに沿ってその両側に流れ落ちるようになる。その結果、ユーザの頭部から流れ落ちた汗を、第１の摩擦部１６Ａでより確実に遮断することができる。
【００５０】
（変形例等）
以上のように、本出願において開示する技術の例示として、実施の形態１及び２を説明した。しかしながら、本開示における技術は、これに限定されず、適宜、変更、置き換え、付加、省略などを行った実施の形態にも適用可能である。また、上記各実施の形態で説明した各構成要素を組み合わせて、新たな実施の形態とすることも可能である。
【００５１】
そこで、以下、他の実施の形態を例示する。
【００５２】
上記各実施の形態では、パッド本体部１４の凹部１２を略楕円形状に形成したが、これに限定されず、例えば円形状又は角丸矩形状（コーナー部が丸い矩形状）等の任意の形状に形成してもよい。
【００５３】
上記各実施の形態では、第１の摩擦部１６（１６Ａ）が横方向に線状に延びるようにしたが、第１の摩擦部１６（１６Ａ）の短手方向における幅は、任意の大きさであってもよい。当該幅の大きさは、例えば１ｍｍ以下であってもよく、あるいは、１ｍｍ〜数十ｍｍであってもよい。
【００５４】
上記各実施の形態では、第１の摩擦部１６（１６Ａ）を１つのみ設けたが、これに限定されず、第１の摩擦部１６（１６Ａ）を複数設けてもよい。この場合、複数の第１の摩擦部１６（１６Ａ）は、例えば互いに対向して配置される。
【００５５】
上記各実施の形態では、パッド本体部１４はクッション部材２０とカバー部材２２とを有するようにしたが、これに限定されず、カバー部材２２を省略してもよい。この場合には、第１の摩擦部１６（１６Ａ）及び複数の第２の摩擦部１８の各々は、クッション部材２０の表面に形成される。
【００５６】
上記各実施の形態では、カバー部材２２を通気性、吸湿性及び放湿性を有する材料で形成したが、これに限定されず、カバー部材２２を通気性、吸湿性及び放湿性を有しない材料、例えば合成皮革等で形成してもよい。
【００５７】
以上のように、本開示における技術の例示として、実施の形態を説明した。そのために、添付図面及び詳細な説明を提供した。
【００５８】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５９】
また、上述の実施の形態は、本開示における技術を例示するためのものであるから、特許請求の範囲又はその均等の範囲において種々の変更、置き換え、付加、省略などを行うことができる。
【産業上の利用可能性】
【００６０】
本開示のイヤーパッドは、例えばオーバーヘッド型のヘッドホン等に適用可能である。
【符号の説明】
【００６１】
２，２Ａ  ヘッドホン
４  ヘッドバンド
６ａ，６ｂ  ハウジング
８ａ，８ｂ，８Ａａ  イヤーパッド
１０ａ，１０ｂ  伸縮機構
１２  凹部
１４  パッド本体部
１６，１６Ａ  第１の摩擦部
１８  第２の摩擦部
２０  クッション部材
２２  カバー部材
２４  布部材
２６  第１の領域
２８  第２の領域
【図１】
2019140616.tif 000003
【図２】
2019140616.tif 000004
【図３】
2019140616.tif 000005
【図４】
2019140616.tif 000006
【図５】
2019140616.tif 000007
【図６】
2019140616.tif 000008